(57)【要約】      （修正有）【課題】携帯電話機やタブレット型コンピュータなど携帯用端末機器等を片手で所持し操作する際、携帯用端末を落とさずしっかりと保持し安定した状態で操作できるように補助するための安定性及び作業性が良く経済的にも安価な携帯端末機器用保持具を提供する。【解決手段】携帯端末機器用保持具１は、軟質性を有する平滑な保持板４と、保持板４の片側面に接続固定された１若しくは２以上の軟質性の指掛かり止め具６と、保持板４のもう一方の側面に接続固定された１若しくは２以上の吸着盤５とを具備して構成される。【選択図】図６
0003194532.tif 000002
【実用新案登録請求の範囲】
【請求項１】
可撓性を有する保持板と、
前記保持板の第１の面に装着された１若しくは２以上の可撓性を有する指掛かり止め機構と、
前記保持板の第２の側面に装着された１若しくは２以上の吸着盤と
を具備する携帯端末機器用保持具。
【請求項２】
前記保持板及び／若しくは前記吸着盤の材質が軟質塩化ビニル樹脂、シリコンゴム樹脂、合成ゴム、軟質性アクリル樹脂のうちの少なくともいずれかであることに特徴を有する請求項１に記載の携帯端末機器用保持具。
【請求項３】
前記指掛かり止め機構が翼を有する指掛かり止め具及び／若しくは指輪型指掛かり止め具及び／若しくは筒型指掛かり止め具であって、
前記指掛かり止め機構の材質が軟質塩化ビニル樹脂、シリコンゴム樹脂、合成ゴム、軟質性アクリル樹脂のうちの少なくともいずれかであることに特徴を有する請求項１若しくは２記載の携帯端末機器用保持具。
【請求項４】
前記指掛かり止め機構が筒型指掛かり止め具であって、
前記指掛かり止め機構の材質が繊維及び／若しくは合成繊維であることに特徴を有する請求項１若しくは２記載の携帯端末機器用保持具。
【請求項５】
前記保持板の前記第２の面に装着される前記吸着盤及び前記第１の面に装着される前記指掛かり止め具の種類、形状、数、配置を任意に設定できることに特徴を有する請求項１乃至４のうちのいずれか１項に記載の携帯端末機器用保持具。
【請求項６】
前記指掛かり止め機構が指先端部を切断した手袋形状であることに特徴を有する請求項１若しくは２記載の携帯端末機器用保持具。
【考案の詳細な説明】
【技術分野】
【０００１】
本考案は、携帯端末機器の操作の補助具に関するもので、携帯端末機器を片手で保持しながら同手の親指による操作を簡便化させるための携帯端末機器用保持具に関する。
【背景技術】
【０００２】
昨今、スマートフォンやタブレット型端末などの使用は、電車、バスの移動中だけでなく、諸々の作業中や歩行中など逐次操作利用され、携帯用端末機器のいわゆるナガラ使用が一般的となっている。これらの携帯型端末機器は、そのサイズ、厚さ、重さなどが片手で取り扱える程度のものであり、一般的にはこれらの携帯端末機器を片手で保持し、もう一方の手指で画像面を操作する。又は保持した手の親指を使って片手のみで操作処理をする場合も多い。
【０００３】
しかし、これらの操作においては、往々にして携帯用端末機器を保持する手指がしっかりと携帯用端末機器を固定保持していない場合が多く、携帯端末機器の操作画面が安定していないため入力操作ミスを起こし、場合によっては落下をさせて破損する場合も多い。
【０００４】
これらの問題を解決するために携帯端末機器を保持するための保持具が種々開発されている。
特許文献１（実用新案登録第３１７５２６２号公報）には、指を挿入する円筒状筒部と吸盤を一体化した保持具が開示されており、円筒状筒部に指を挿入して携帯型端末機器の裏面ケース材の表面に吸盤を吸着させて片手で保持し易くする考案が紹介されている。
【０００５】
しかし、この技術思想では、指を挿入する円筒状筒部と吸盤とが直接一体化されているため、吸盤の構成位置が指の位置に制約されてしまい、携帯用端末機器の背面に吸着盤が吸着する位置が特定の位置に限定されてしまう。加えて吸着盤の数にも制約があり、携帯端末機器の背面全体をバランス良く固定し保持することができない。指を挿入する円筒状筒部の数を増やしてもこの課題は根本的な解決策には至らない。
【０００６】
また特許文献２（特開２００７−５３６０３号公報）には、親指以外の四指のいずれかの指先を指の背から押さえるための樹脂又は金属からなる複数の翼を有する形状の押圧部と、携帯端末機器の背面に固定するための吸着盤とによって構成される指固定具の技術思想が開示されている。
【０００７】
この技術思想の場合は、親指以外の２本の指を押さえる翼を有する押圧部が１体であり、携帯端末機器に吸着される吸着盤もそれに一体化されたものであるため、指の安定性及び携帯端末機器への吸着固定での安定性、バランスを考慮した場合は、上記特許文献１よりも保持安定性の面で劣る。つまり同様の課題解決には至っていない。
【０００８】
また特許文献３（特許第５４５１９２２号公報）には、袋内に粒子状の充填材を入れてなる変形可能な袋体に吸着部材を取り付け、吸着部材を携帯用端末機器の背面に吸着することにより、携帯端末機器を保持するとともに袋体を握ることによって、安定に携帯端末機器を保持することができ、また携帯端末機器を単体で机上に置く場合も、背面にある袋体を支えにして置くことにより携帯端末機器を自由な角度で配置できる技術思想について開示がされている。
【０００９】
特許文献３の変形可能な袋体を利用する技術思想の場合は、主目的が携帯端末機器を机上等に配置する場合に自由な画面角度を形成することができ、利用者にとって画面を見易くすることにある。携帯端末機器の片手保持における保持安定性や固定性、操作のし易さという課題に対しては、袋体をにぎることによって補足するだけの機能のみであって、課題の根本的解決には至っていない。
【先行技術文献】
【特許文献】
【００１０】
【特許文献１】実用新案登録第３１７５２６２号公報
【特許文献２】特開２００７−５３６０３号公報
【特許文献３】特許第５４５１９２２号公報
【考案の概要】
【考案が解決しようとする課題】
【００１１】
上記のようにこれまでの技術もしくは技術的思想では、携帯用端末機器をより安定的にバランス良く片手に固定保持して操作をし易くし、且つ落とさず安全に使用できるという根本的課題解決には至っていない。
【００１２】
本考案はこうした従来技術上の問題点を解決することを企図したものであり、携帯端末機器保持及び使用において、携帯機器端末の背面を全体的にバランス良く吸着し、保持安定性、操作性、作業性を格段に向上させつつ、落下による破損の防止につながる携帯端末機器用保持具を提供することをその課題とする。
【課題を解決するための手段】
【００１３】
かかる課題を解決するため、本考案に係る携帯端末機器用保持具は、
可撓性を有する平滑な保持板と、
前記保持板の第１の面に装着された１若しくは２以上の可撓性を有する指掛かり止め機構と、
前記保持板の第２の面に装着された１若しくは２以上の吸着盤と
を具備して構成される。
【００１４】
本考案の請求項１、２に係る携帯端末機器用保持具は、可撓性を有する合成樹脂であって軟質塩化ビニル樹脂、シリコンゴム樹脂、軟質性アクリル樹脂のうちの少なくともいずれかを材料として形成される略平板状の平滑な保持板を基材としていることに特徴を有する。
【００１５】
また本考案の請求項１、２に係る携帯端末機器用保持具は、可撓性を有する合成樹脂であって軟質塩化ビニル樹脂、シリコンゴム樹脂、軟質性アクリル樹脂のうちの少なくともいずれかを材料として形成される略円形状の吸着盤を有することに特徴を有する。
【００１６】
保持板の表裏平面の大きさは、携帯端末機器の表裏平面の大きさに略同等であり、厚さは約１ｍｍから５ｍｍであることが好ましい。保持板には、その携帯端末機器を吸着する第２の面（以降、「表面」と称する。）に１又は２以上の吸着盤を接合配置していることに特徴を有する。接合方法は接着又は溶着等の接合方法であって合成樹脂の接合固定の強度を得ることができる方法であればよく限定はない。
【００１７】
本考案の請求項５に係る携帯端末機器用保持具は、保持板の表面側に装着される吸着盤の種類、形状、数、配置を任意に設定できることに特徴を有する。
【００１８】
略円形状の吸着盤は、例えば直径が約１５ｍｍ以上の大きなものであれば、保持板表面の略中央部近傍に１乃至３個を長手方向に接着装着することができる。また直径が約１５ｍｍ以下の小さな吸着盤であれば保持板表面に均等に分散して接着装着することができる。吸着盤の形状、大きさ、数を携帯端末機器の大きさに合わせて固定し易いように任意に設定することができる。
【００１９】
本考案の請求項３に係る携帯端末機器用保持具の保持板には、第２の面（以降、「裏面」と称する。）に１又は２以上の指掛かり止め具を接合配置していることに特徴を有する。この指掛かり止め機構は、翼を有する指掛かり止め具及び／若しくは指輪型指掛かり止め具であって、材質が軟質塩化ビニル樹脂、シリコンゴム樹脂、軟質性アクリル樹脂のうちの少なくともいずれかであることに特徴を有する。
【００２０】
本考案に係る携帯端末機器用保持具は、保持板を基材として、その表面の吸着盤の携帯端末機器の裏面を吸着固定し、保持板の裏面の指係り止め具に保持する片手の親指以外の四指のひとつ又は複数を掛かり止めして、且つ手のひら全体で携帯端末機器を握り保持するための保持具である。
【００２１】
翼を有する指掛かり止め具は、保持板の裏面に接着装着され、上部に翼状の指押さえ部を有するため携帯端末機器及び携帯端末機器用保持具を手指で保持した際、指を指の背側から支え固定する。１個の指掛かり止め具で２本の指の位置が固定でき、翼部が携帯端末機器の落下防止に役立つ。
【００２２】
翼を有する指掛かり止め具は、大きさや設置数に限定はないが、人の指に適応する大きさであればよく、３個あれば人指し指から小指までを支え固定できる。詳細の実施態様は後述する。
【００２３】
指輪型指掛かり止め具は、保持板の裏面に接着装着され、指輪リング形状で保持板から離れた一部に環切断部を有するため携帯端末機器及び携帯端末機器用保持具を手指で保持した際、指を外周から支え固定する。１個の指掛かり止め具で１本の指の位置が固定でき、携帯端末機器の落下防止に役立つ。
【００２４】
指輪型指掛かり止め具は、大きさや設置数に限定はないが、内径が人の指の太さに相応する大きさであればよく、最大４個あれば人指し指から小指までを支え固定できる。詳細の実施形態は後述する。
【００２５】
本考案の請求項４に係る携帯端末機器用保持具は、前記指掛かり止め機構が筒型指掛かり止め具であって、材質が繊維及び／若しくは合成繊維であることに特徴を有する。
【００２６】
筒型指掛かり止め具は、保持板の裏面に接着装着され、筒型形状で繊維製であるため携帯端末機器及び携帯端末機器用保持具を手指で保持した際、指を挿入して外周から支え固定する。柔らかい繊維製であるため手袋のように感触がよく、１個の指掛かり止め具で１本の指の位置が固定でき、携帯端末機器の落下防止に役立つ。
【００２７】
指輪型指掛かり止め具は、大きさや設置数に限定はないが、内径が人の指の太さに適応する大きさであればよく、最大４個あれば人指し指から小指までを支え固定できる。詳細の実施形態は後述する。
【００２８】
本考案の請求項６に係る携帯端末機器用保持具は、指掛かり止め機構が指先端部を切断した手袋形状であってもよい。
【００２９】
手袋の指の腹部分が保持板裏面に接着装着することにより、手袋をはめると同時に携帯端末機器を保持できる。手袋の指先が切断開口状態であれば、携帯端末機器の操作においても不自由を来たさない。
【００３０】
上述のように、本考案に係る携帯端末機器用保持具は、携帯端末機器と略同サイズの保持板を有することにより、保持板表面の全面で均一にバランス良く携帯端末機器を強固に吸着保持するため、安定性がよく、手で保持する際、非常に安定性があり、握る感触が良く、且つ落下の危険が極めて少ない。
【００３１】
本考案に係る携帯端末機器用保持具は、吸着盤を保持板の表面に任意の数で配置でき且つ携帯端末機器の裏面に対して均一且つ均等に配置できるため、携帯端末機器との吸着接合強度や吸着後の重心バランスがよく、安定性のよい吸着固定ができる。
【００３２】
吸着盤の配置においては、例えば、直径１０ｍｍの吸着盤を保持板の長手方向に対して５段３列のように均等配置することもでき、このような吸着盤配置で携帯端末機器との吸着をした際は、携帯端末機器用保持具と携帯端末機器との接合がきわめて安定し、一体としての固定性を得ることができる。
【００３３】
本考案に係る携帯端末機器用保持具の翼を有する指掛かり止め具は、例えば塩化ビニルのような軟質性樹脂であって指の太さに準じた高さをもつ基部の上部に翼を略円形に設けた形状を有する。この場合、保持板の裏面の略中央部近傍において、保持する手指の角度に応じた方向及び向きでひとつ又は複数接合配置することにより、片手で保持した際、指の固定感触がよく、携帯端末機器を含めた把持握りの安定感がよくなる。そして落下させる危険をきわめて少なくした保持が可能になる。
【００３４】
本考案に係る携帯端末機器用保持具の指掛かり止め具は、上記の形状に限定するものではなく例えば手袋の指部分のような布製の環状筒状体であってもよいし、場合によっては手袋であってもよい。
【００３５】
本考案に係る携帯端末機器用保持具は、従来の携帯端末機器保持具と違い、携帯端末機器を確実強固に且つ安定吸着し、保持する指を強固に安定的に掛かり止めできる。そして柔らかく且つ安定感のある保持板を基材として、携帯端末機器を片手で安定的に且つ一体的に感触よく保持できる。また、保持した手の親指での片手操作をし易くする。そして重要なことは、携帯端末機器への装着及び取り外しが極めて容易で使い勝手が良い。
【００３６】
本考案に係る携帯端末機器用保持具の吸着盤及び指掛かり止め具は、上記いずれの構成においても、携帯端末機器を安定的に固定保持することができ、携帯端末機器の安全且つ効率的な操作の確保、落下破損防止に大いに役立つ。
【考案の効果】
【００３７】
本考案によれば、保持安定性があり保持感触が良く落下危険性の少ない携帯端末機器用の保持具であって、携帯端末機器との装着及び着脱等取り扱い性が良く、加えて携帯端末機器の操作性がよい、簡易で安価な携帯端末機器用保持具を提供することができる。
【図面の簡単な説明】
【００３８】
【図１】本考案の一実施形態に係る携帯端末機器用保持具の全体イメージを示した斜視概念図である。
【図２】本考案の一実施形態に係る携帯端末機器用保持具を示した側面概念図である。
【図３】本考案の一実施形態に係る携帯端末機器用保持具の表面側を示した概念図である。
【図４】本考案の一実施形態に係る携帯端末機器用保持具の指掛かり止め具を示した概念図である。
【図５】本考案の一実施形態に係る携帯端末機器用保持具の裏面側を示した概念図である。
【図６】本考案の一実施形態に係る携帯端末機器用保持具に携帯端末機器を吸着した状態を示した側面概念図である。
【図７】本考案の一実施形態に係る携帯端末機器用保持具を用いて携帯端末機器を保持した状態を示した概念図である。
【図８】本考案の一実施形態に係る携帯端末機器用保持具の裏面側を示した概念図である。
【図９】本考案の一実施形態に係る携帯端末機器用保持具の裏面側を示した概念図である。
【考案を実施するための形態】
【００３９】
以下、図面を参照して本考案を実施するための形態について説明する。なお、以下では本考案の目的を達成するための説明に必要な範囲を模式的に示し、本考案の該当部分の説明に必要な範囲を主に説明することとし、説明を省略する箇所については公知技術によるものとする。
【００４０】
図１は、本考案の一実施形態に係る携帯端末機器用保持具の全体イメージを示した斜視概念図である。同図に示すように、本考案の一実施形態に係る携帯端末機器用保持具は、携帯端末機器の裏面に吸着されて一体化し、携帯端末機器と一体となって操作する人間の手の平のなかに保持される。本考案の一実施形態に係る携帯端末機器用保持具１は、携帯端末機器２と手のひら３との間に位置して携帯端末機器を保持する保持具である。
【００４１】
図２は、本考案の一実施形態に係る携帯端末機器用保持具を示した概念側面図である。同図に示すように、本考案の一実施形態に係る携帯端末機器用保持具１は、中央に薄板状の保持板４を基材として具備し、前記保持板４の表面側（携帯端末機器側）に１又は２以上の吸着盤５を接着装着し、裏面側には１又は２以上の指掛かり止め具６を接着装着して構成される。
【００４２】
図３は、本考案の一実施形態に係る携帯端末機器用保持具の表面側を示した概念図である。同図に示すように、保持板４は、携帯端末機器２と略同等又は若干小さい面積をもつ平板状の基材であり、厚さは１ｍｍ乃至５ｍｍの範囲で好ましくは２ｍｍ乃至３ｍｍである。保持板４の材質に限定はないが、可撓性を有する合成樹脂であって、好ましくは透明なシリコンゴム樹脂、合成ゴム、軟質アクリル樹脂又は塩化ビニル樹脂のいずれかがよい。
【００４３】
図３に示すように、吸着盤５は、保持板４の表面側に１又は２以上の数で保持板表面全体に対して均等に配置されている。吸着盤５の大きさに限定はないが、配置される吸着盤５の数が少数の場合は比較的大きなサイズで保持板４の表面略中央に対して均等に配置され、吸着盤５の数が多数に及ぶ場合は比較的小さなサイズで保持板４の全表面に対して均等に配置される。好ましくは吸着盤５の吸着面５ａの直径が１２ｍｍ乃至１５ｍｍであって数が８個の場合は図３に示すような均等配置がよい。
【００４４】
吸着盤５の材質に限定はないが、可撓性を有する合成樹脂であって好ましくはシリコンゴム樹脂、合成ゴム、軟質アクリル樹脂又は塩化ビニル樹脂のいずれかが柔らかく使い勝手が良い。吸着盤５は、その吸着面５ａで携帯端末機器２の外装筐体裏面に吸着させ、また吸着盤５の基部５ｂは、保持板４の表面に強固に接着装着されている。
【００４５】
図３に示す本考案の一実施形態に係る携帯端末機器用保持具での吸着盤５の数は８個であり、携帯端末機器２と同じ縦方向である保持板４の縦方向に対して５段、３列で、各吸着盤５の配置する位置は全表面に均等に分散して配置されている。これにより、携帯端末機器２の筐体裏面と携帯端末機器用保持具１との安定した吸着固定が可能になる。平板状の保持板４の存在が、強固な吸着及び全体の吸着安定性を保つための大きな要因となっている。
【００４６】
図４は、本考案の一実施形態に係る携帯端末機器用保持具の指掛かり止め具を示した概念図である。同図に示すように、指掛かり止め具６は、例えば上部に翼部６ａを有し、下部である基部６ｂは保持板４に接着装着される。指掛かり止め具６の基部６ｂと翼部６ａとの間に手の指が掛かり止めされる構造を有する。
【００４７】
指掛かり止め具６の大きさや形状に限定はないが、好ましくは人差し指、中指若しくは薬指の第２関節部分近傍を掛かり止めするにふさわしい大きさであって、図４に示すような翼部６ａを有する形状が指を固定するのにふさわしい。指掛かり止め具６の材質は可撓性のある合成樹脂であって好ましくはシリコンゴム樹脂、軟質アクリル樹脂、合成ゴム又は塩化ビニル樹脂のいずれかあって柔らかく指になじむものがよい。
【００４８】
図５は、本考案の一実施形態に係る携帯端末機器用保持具の裏面側を示した概念図である。同図に示すように、保持板４の裏面側は手の平及び指で把持する面であり、指掛かり止め具６が接着装着されている。携帯端末機器用保持具１を保持する際、図５に示すように、例えば指掛かり止め具６が２個装着されている場合は、その２個の指掛かり止め具６の中央部に中指が装着され、左右に人差し指と薬指が掛かり止めされ、翼部６によって各指の背部が支えられる形態となる。
【００４９】
指掛かり止め具６の位置が、保持板４の裏面の略中央部にあって保持する手のひらにフィットする角度で接着装着されていれば、保持した際、安定性があって携帯端末機器２をしっかりと握ることができる。もちろん指掛かり止め具６の装着数を限定するものではないが、図４に示す形状の指掛かり止め具６であれば最大で３個あればよい。
【００５０】
図６は、本考案の一実施形態に係る携帯端末機器用保持具に携帯端末機器を吸着した状態を示した側面概念図である。同図に示すように、携帯端末機器２には本考案の一実施形態に係る携帯端末機器用保持具１の表面側が、縦４段に配置された吸着盤５によって吸着保持されている。保持板４の裏面側には、２個の指掛かり止め具６が接着装着されている。
【００５１】
図７は、本考案の一実施形態に係る携帯端末機器用保持具を用いて携帯端末機器を保持した状態を示した概念図である。同図に示すように、携帯端末機器用保持具１を用いて右手で携帯端末機器２を保持した場合、２個の指掛かり止め具６の中央部に中指が掛かり止め固定され、左に人差し指、右に薬指が掛かり止め固定される。指掛かり止め具６の翼部６ａによって各指の背部が支えられる形態となる。
【００５２】
図６に示すように携帯端末機器２は、その筐体裏面に均等に配置された複数の吸着盤５で吸着されているため、吸着固定力は十分であり、不用意に脱着して落ちることはなく、携帯端末機器用保持具１と一体化した状態で安定な保持形態を形成している。また、指掛かり止め具６は２個装着されており、手のひら及び指で保持した際、指を安定的に掛かり止めし、保持固定している。
【００５３】
図６に示すように、本考案の一実施形態に係る携帯端末機器用保持具１の保持板４の厚さは、携帯端末機器２の厚さより薄いため、携帯端末機器２と一体化した状態で保持しても、手のひらには携帯端末機器に加えて厚さが増した違和感はほとんど生じない。そして、保持板４、吸着盤５及び指掛かり止め具６は、例えばシリコンゴム若しくは塩化ビニル樹脂のような軟質の合成樹脂であれば全体的に弾力性があり、且つ保持板４を有することにより携帯端末機器２との一体化した状態による安定した固定力があるため、携帯端末機器２と共に保持した際は、手のひらに対して非常に感触が良く、なじみ、柔らかいにもかかわらず強く固定され且つ安定して保持することができる。
【００５４】
片手で携帯端末機器２を保持して、保持した手の親指で携帯端末機器２の画像面を片手操作する際も、残る４本の指と手のひらのみで非常に安定して携帯端末機器２を保持し続けることができ、不安定な保持によって生ずる操作ミスが激減する。また不用意に携帯端末機器２を床に落下させ破損するという事故が激減する。
【００５５】
図６に示す吸着盤５及び指掛かり止め具６の大きさ及び数、配置等は、実施形態の一つの事例説明であり、本考案はこの実施形態に限定するものではない。以下に他の実施形態について説明する。
【００５６】
図８は、本考案の一実施形態に係る携帯端末機器用保持具の裏面側を示した概念図である。同図に示すように、保持板４の裏面側には上述の指掛かり止め具６に代えて指輪型指掛かり止め具７が２個接着装着されている。この指輪型指掛かり止め具７は、指が挿入できる大きさの環状形状を有しているが、環切断部７ａが形成されており、指が挿入しやすい形状になっている。この２個の指輪型指掛かり止め具７に、例えば中指と薬指を挿入して携帯端末機器２を安定して保持することができる。
【００５７】
図８においては、２個の指輪型指掛かり止め具７が表現されているが、その数や配置に限定はなく、１乃至４個の指輪型指掛かり止め具７を保持板４の裏面に指の挿入し易い略中央の位置及び角度で接着装着されていれば、十分な機能を果たす。材質にも限定はないが、可撓性を有する材料であって好ましくは塩化ビニル樹脂若しくはシリコンゴム、合成ゴム、軟質アクリル樹脂などの柔らかく適度な固定力のある合成樹脂であればよい。
【００５８】
図９は、本考案の一実施形態に係る携帯端末機器用保持具の裏面側を示した概念図である。同図に示すように、保持板４の裏面側には上述の指掛かり止め具６に代えて筒型指掛かり止め具８が４個接着装着されている。この筒型指掛かり止め具８は、指が挿入できる大きさの筒環状形状を有しており、指が挿入しやすい形状になっている。この４個の筒型指掛かり止め具８には、例えば人差し指、中指、薬指そして小指を挿入して携帯端末機器２を安定して保持することができる。
【００５９】
図９においては、４個の筒型指掛かり止め具８が表現されているが、その大きさ、数及び配置に限定はなく、１乃至４個の筒型指掛かり止め具８を保持板４の裏面に指の挿入し易い略中央の位置及び角度で接着装着していれば十分な機能を果たす。大きさは手の指の挿入に対応できればよい。材質にも限定はないが、可撓性を有する材料であって塩化ビニル樹脂若しくはシリコンゴムなどの柔らかく適度な固定力のある合成樹脂であればよい。好ましくは、毛糸、布などの繊維製であれば、手袋と同じ感触で且つ防寒の機能をも期待することができる。
【００６０】
以上、本考案に係る携帯端末機器用保持具の実施形態について記載したが、本考案は上述した実施形態に限定されるものではなく、本考案の主旨を逸脱しない範囲内で種々変更して実施することが可能である。たとえば、図９における筒型指掛かり止め具８が手袋であって、指部分のみを本考案に係る保持板４に接着装着させる態様も考え得る。これらはすべて、本技術思想の一部である。
【産業上の利用可能性】
【００６１】
上述したように、本願に係る考案によれば、従来の携帯端末機器保持具と違い、携帯端末機器を確実強固に且つ安定吸着し、保持する指を強固に安定的に係り止めしする。そして柔らかく且つ安定感のある保持板を基材として、携帯端末機器を片手できわめて安定に感触よく保持、親指等で操作し易くする。そして重要なことは、携帯端末機器への装着及び取り外しが極めて容易で使い勝手が良い携帯端末機器用保持具を提供することができる。
【００６２】
また本考案は、携帯端末機器用保持具に限定されることなく、あらゆる素材、用途に対しても、特に電子卓上計算機やパソーナルコンピュータなどモバイル携帯機器一般に対しても利用、適用が可能であるため各種産業に対して大きな有益性をもたらすものである。
【符号の説明】
【００６３】
１    携帯端末機器用保持具
２    携帯端末機器
３    手のひら
４    保持板
５    吸着盤
５ａ  吸着面（吸着盤吸着面）
５ｂ  基部（吸着盤基部）
６    指掛かり止め具
６ａ  翼部（指掛かり止め具翼部）
６ｂ  基部（指掛かり止め具基部）
７    指輪型指掛かり止め具
７ａ  環切断部（指輪型指掛かり止め具環切断部）
８    筒型指掛かり止め具
【図１】
0003194532.tif 000003
【図２】
0003194532.tif 000004
【図３】
0003194532.tif 000005
【図４】
0003194532.tif 000006
【図５】
0003194532.tif 000007
【図６】
0003194532.tif 000008
【図７】
0003194532.tif 000009
【図８】
0003194532.tif 000010
【図９】
0003194532.tif 000011